(57)【要約】【課題】      太糸が充分に巻回できる糸巻容量のスプ−ルとなるように磁気制動装置を組み込んだ魚釣用両軸受型リ−ルを提供すること。【解決手段】  スプ−ル軸４の太径部４ｂにはスプ−ル５が嵌合固定され、太径部４ｂの外周に磁気制動装置Ｄの可動側の保持部材６と保持部材６を初期位置に付勢するバネ部材１９が嵌合されている。  スプ−ル５は一方のフランジ部５ｃの外側に喇叭状の制御部５ｅが形成されて制御部５ｅの内側に傾斜面５ｆが形成されている。  保持部材６には遠心カラ−２３が遠心方向に移動自在に嵌合されてスプ−ル軸４が回転されると遠心カラ−２３が制御部５ｅの傾斜面５ｆに摺接されて保持部材６が軸方向に移動され、保持部材６に筒状の導電体２２の一端が嵌合固定されて導電体２２は磁石１２と磁石１３の間に進入可能に配置されている。【選択図】        図２
2005058171.tif 000002
【特許請求の範囲】
【請求項１】
リ−ル本体に回転自在に支持したスプ−ルの一側に導電体を軸方向変位可能に支持すると共に、リ−ル本体の一側に磁界を形成する磁石を設け、前記導電体を前記スプ−ルの回転速度に応じて前記磁界内に進退可能とする制御手段を備え、該制御手段で前記スプ−ルに作用する磁気制動力を増減可能に制御する磁気制動装置を備えた魚釣用両軸受型リ−ルにおいて、前記制御手段を、スプ−ルに形成した傾斜面を有する制御部と、前記導電体に支持された遠心カラ−と、前記導電体を初期位置に保持するバネ部材とで構成し、前記制御部を前記スプ−ルのフランジ部の一側部に設けたことを特徴とする魚釣用両軸受型リ−ル。
【請求項２】
前記制御部を前記スプ−ルの釣糸巻回領域より軸方向外側に配置したことを特徴とする請求項１記載の魚釣用両軸受型リ−ル。
【請求項３】
前記制御部をスプ−ルとは別体で一体的に取り付けたことを特徴とする請求項１及び２記載の魚釣用両軸受型リ−ル。
【発明の詳細な説明】
【技術分野】
【０００１】
本発明は、仕掛け投擲時におけるスプ−ルの過回転を抑止するバックラッシュ防止装置を備えた魚釣用両軸受型リ−ルの改良に関する。
【背景技術】
【０００２】
従来魚釣用両軸受型リ−ルには、仕掛け投擲時におけるスプ−ルの過回転を抑止する為のバックラッシュ防止装置を備えたものが数多く存在する。
前記バックラッシュ防止装置は、スプ−ル側に配置された導電体と、該導電体に対向するように配置された磁石の間に発生する渦電流を用いてスプ−ルに制動力を付与するマグネットブレ−キ装置と、スプ−ル側に配置された遠心カラ−をスプ−ルの高速回転で発生する遠心力で径方向外側に移動させ、リ−ル本体側のリングに押付けて制動力を発生させる遠心ブレ−キ装置と、大きく分けて２つのダイプが一般的に用いられている。
しかし、前記マグネットブレ−キ装置は、仕掛け投擲時の後期に制動力が強すぎるため着水時の失速が大きく、遠心ブレ−キ装置は仕掛け投擲時の初期に制動力が強すぎるためスプ−ル回転数の上昇が抑えられてしまい、何れも仕掛け投擲時の仕掛けの飛距離が短くなり過ぎる不具合が指摘されていた。
【０００３】
前記不具合を改善するべく本出願人は特許文献１及び２で、リ−ル本体にマグネットブレ−キの磁石を取付け、マグネットブレ−キの導電体をスプ−ル軸上で軸方向移動可能に支持し、スプ−ルに形成した傾斜面と導電体側に形成した遠心カラ−とでスプ−ルの回転速度に応じて導電体をスライドさせて、リ−ル本体側の磁石とスプ−ル側導電体の相対位置を変更することで、スプ−ルへの制動力を回転速度に応じて制御する新たなバックラッシュ防止装置を提案した。
【特許文献１】特開平１０−２６２５１８号
【特許文献１】特開平１０−３０９１５８号
【発明の開示】
【発明が解決しようとする課題】
【０００４】
近年においては、魚の個体が大型化してきており、大型化した魚を逃がすこと無く確実に捕り込む為にリ−ルに巻回する糸が太くなる傾向にある。また、余裕の糸巻量を望む釣り人が多く、リールの多用化が望まれている。
しかし、前記特許文献１及び２にて開示した構造は、何れもスプ−ルの釣糸巻回胴部の径方向内側に傾斜面を形成した構成であるので、かつての細い糸であれば充分な糸巻容量を確保出来ていたが、太糸に対しては充分な糸巻容量を確保出来ていないのが現状である。
また、傾斜面をスプ−ルの胴部内側に直接設けると、傾斜角度の変更や傾斜面の長さ等の変更を行ってブレ−キ性能の変更を図りたい時、変更の為に別スプ−ルと交換する必要があるので、変更に当り元のスプ−ルに巻回された釣糸を新しいスプ−ルに巻き直すか、別スプ−ルに別の釣糸を予め巻回しておく必要が有り、手間やコストが掛かる。
【０００５】
前記特許文献１及び２には別の実施形態として導電体に直接傾斜面を形成した実施例も記載されているが、導電体の重量が増加し、導電体の軸方向移動時に大きな力が必要となるので遠心カラ−の大型化や、移動した導電体の初期位置復帰の為に設けられたバネのバネ力強化など、重量増やコスト高の原因となるため余り好ましい実施例とはなり得ないのが現状である。
【０００６】
本発明の目的は前記欠点に鑑み、太糸が充分に巻回できる糸巻容量のスプ−ルとなるように磁気制動装置を組み込んだ魚釣用両軸受型リ−ルを提供することである。
【課題を解決するための手段】
【０００７】
本発明の請求項１は、リ−ル本体に回転自在に支持したスプ−ルの一側に導電体を軸方向変位可能に支持すると共に、リ−ル本体の一側に磁界を形成する磁石を設け、前記導電体を前記スプ−ルの回転速度に応じて前記磁界内に進退可能とする制御手段を備え、該制御手段で前記スプ−ルに作用する磁気制動力を増減可能に制御する磁気制御装置を備えた魚釣用両軸受型リ−ルにおいて、前記制御手段を、スプ−ルに形成した傾斜面を有する制御部と、前記導電体に支持された遠心カラ−と、前記導電体を初期位置に保持するバネ部材とで構成し、前記制御部を前記スプ−ルのフランジ部の一側部に設けたことを要旨とするものである。
本発明の請求項２は、前記制御部を前記スプ−ルの釣糸巻回領域より軸方向外側に配置したことを要旨とするものである。
本発明の請求項３は、前記制御部をスプ−ルとは別体で一体的に取り付けたことを要旨とするものである。
【発明の効果】
【０００８】
請求項１の本発明により、スプ−ルの回転速度に応じて磁気制動装置の導電体を磁石と磁石の間に進入されて制御する傾斜面を有する制御部をスプ−ルの一方のフランジ部の一側部に形成したことにより、釣糸巻回胴部の直径を細くする事が可能となり、太糸の充分な糸巻容量が確保出来る。
太糸が充分巻回できるので別スプ−ルと交換する必要が無くなるので、釣糸の巻き直しなどの煩わしさを無くし、別スプ−ルとそこに巻回する釣糸の用意が不要となるので不要なコスト増を抑えることが出来る。
請求項２の本発明により、傾斜面を有する制御部をスプールの釣糸巻回胴部内側や磁気制動装置の移動側に形成せずにスプ−ル外側に形成することで、釣糸巻回胴部の直径を細くする事ができるので糸巻量を確保でき、導電体の重量増、遠心カラ−の重量増、バネ部材の強化によるコスト高を全て回避できる。
請求項３の本発明により、傾斜面を有する制御部をスプ−ルとは別体に形成してビスでスプ−ルの一方のフランジ部の外側に固定すると、傾斜面の角度や長さの異なる様々な傾斜面を有する制御部を簡単に交換出来、目的に応じた調整を低コストで行うことが出来る。
【発明を実施するための最良の形態】
【０００９】
スプ−ル軸４の太径部４ｂにはスプ−ル５の筒部５ａが嵌合固定され、太径部４ｂの小径部４ａ側には磁気制動装置Ｄの可動側の保持部材６と保持部材６を初期位置に付勢するバネ部材１９が嵌合されている。
スプ−ル５は筒部５ａと、釣糸が巻回される釣糸巻回胴部５ｂと、左右のフランジ部５ｃ、５ｄと、一方のフランジ部５ｃの外側に設けられた喇叭状の制御部５ｅとで形成されて制御部５ｅの内側に傾斜面５ｆが形成されている。
スプ−ル軸４の太径部４ｂの保持部材６が嵌合された位置にピン２１がスプ−ル軸４に直交するように固定されて保持部材６は軸方向に移動可能に回り止めされている。
保持部材６には遠心カラ−２３が遠心方向に移動自在に嵌合されてスプ−ル軸４が回転されると遠心カラ−２３が制御部５ｅの傾斜面５ｆに摺接されて保持部材６が軸方向に移動され、保持部材６に筒状の導電体２２の一端が嵌合固定されて導電体２２は磁石１２と磁石１３の間に進入可能に配置されている。
【実施例１】
【００１０】
以下、図示の実施例によって本発明を説明すると、図１から図７は第１実施例で、図１は魚釣用両軸受型リ−ルの要部断面平面図、図２は魚釣用両軸受型リ−ルの反ハンドル側の要部拡大断面平面図、図３は魚釣用両軸受型リ−ルのハンドル側の要部拡大断面平面図、図４はスプ−ルと磁気制動装置の可動側の拡大断面平面図、図５はスプ−ルと磁気制動装置の可動側の拡大要部断面正面図、図６は磁気制動装置の可動側の分解斜視図、図７はスプ−ルと磁気制動装置の可動側の拡大要部断面分解斜視図である。
【００１１】
魚釣用両軸受型リ−ルは、リ−ル本体Ａが側枠１と側板Ｂ、Ｃで構成されている。
側枠１の左右両側枠１ａ、１ｂが図示しない複数本の支柱とリ−ル脚の固定板で一体的に平行に保持されて左右両側枠１ａ、１ｂの外側には夫々側板Ｂ、Ｃが取り付けられている。
側板Ｂは軸受構造体２と外側カバ−１０とで構成されている。
側板Ｃは軸受構造体３と外側カバ−１０′とで構成されている。
側板Ｂ側の左側枠１ａには、左側面に突出部１ｃが、右側面に突出部１ｄが形成されて突出部１ｃ、１ｄ内に大径の透孔１ｅが形成されている。
左側枠１ａの左側面には外周より小径の筒部１ｆが形成され、筒部１ｆ外周にネジ部１ｇが形成されている。
【００１２】
側板Ｂの軸受構造体２は湾曲円板２ａに形成されて湾曲円板２ａの外周部２ｂに断面Ｌ字形の外側に向けた突部２ｃが形成されている。
突部２ｃは筒部１ｆの内側に挿入される。
湾曲円板２ａの内側に大径の筒部２ｄと小径の筒部２ｅが形成されている。
大径の筒部２ｄの先端小径部は大径の透孔１ｅに嵌合されて筒部２ｄの外周に周溝２ｆが形成され、筒部２ｄのリ−ル前後方向の後側は外周部２ｂと一体に形成されている。
筒部２ｄの内周に周溝２ｇが形成されている。
筒部２ｅ内には軸受１１が挿入されて軸受１１にスプ−ル軸４の小径部４ａが軸承されている。
【００１３】
筒部２ｅの先端外周には磁気制動装置Ｄの磁石１２が固定され、磁石１２の対向外側には他の磁石１３が保持部材１４の筒部１４ａ内周のスプ−ル５側先端に固定されている。
保持部材１４は筒部１４ａと筒部１４ａ外周のスプ−ル５側先端から外側に突出した鍔部１４ｂで形成されている。
筒部１４ａの軸受構造体２側は大径の筒部２ｄと小径の筒部２ｅの中間に設けられた筒部２ｈの内周段部で保持され、鍔部１４ｂ外周は周溝２ｇで保持されている。
筒部１４ａの軸受構造体２側には縦孔が穿設されてクリック板バネ１５が挿入されている。
側板Ｂの外側カバ−１０はリング状に形成されて軸受構造体２の外周部２ｂに嵌合される内径の透孔１０ａとネジ部１ｇに螺合されるネジ部１０ｂが形成されている。
側板Ｂが組み立てられる時は、軸受構造体２の筒部２ｄ先端が左側枠１ａの大径の透孔１ｅに嵌合されると共に周溝２ｆにＯリング１６が嵌合されて突出部１ｄに押し当てられ、外側カバ−１０のネジ部１０ｂが左側枠１ａのネジ部１ｇに螺合されて組み立てられる。
【００１４】
スプ−ル軸４は軸受１１で軸承された左側の小径部４ａと、右側枠１ｂの筒部１ｈ内に設けられた軸受１７で軸承された太径部４ｂと、小径部４ａと太径部４ｂの間の鍔部４ｃと周溝４ｄと、軸受１７で軸承された太径部４ｂから突出した小径部４ｅとで形成されている。
小径部４ａはスラスト軸受１８に当接されている。
スプ−ル軸４の太径部４ｂにはスプ−ル５の筒部５ａが嵌合固定され、太径部４ｂの小径部４ａ側には磁気制動装置Ｄの可動側の保持部材６とコイルスプリンクからなるバネ部材１９が嵌合されている。
スプ−ル５はスプ−ル軸４の太径部４ｂに嵌合固定される筒部５ａと、釣糸が巻回される釣糸巻回胴部５ｂと、左右のフランジ部５ｃ、５ｄと、一方のフランジ部５ｃの外側に設けられた喇叭状の制御部５ｅとで形成されて制御部５ｅの内側に傾斜面５ｆが形成されている。
スプ−ル５のフランジ部５ｃ外周は大径の透孔１ｅに挿入されている。
【００１５】
スプ−ル軸４の太径部４ｂに磁気制動装置Ｄの可動側の保持部材６が嵌合された位置にピン２１がスプ−ル軸４に直交するように固定されている。
保持部材６は図１、図２、図４から図７のように、円盤部６ａの前面に筒部６ｂが、円盤部６ａの中心に前面に筒部６ｃが、後面に筒部６ｄと筒部６ｄの両側に翼部６ｅが、筒部６ｄの中心に透孔６ｆが、翼部６ｅに横長の凹部６ｇが、円盤部６ａの上下前面に凹部６ｈが、その後面に横幅の狭い切欠き６ｉが形成されている。
筒部６ｂの外周に筒状の導電体２２の一端が嵌合固定されている。
導電体２２は磁石１２と磁石１３の間に進入可能に配置されている。
透孔６ｆにスプ−ル軸４が軸方向に移動自在に嵌合されている。
【００１６】
横長の凹部６ｇにピン２１が軸方向に移動自在に嵌合されている。
凹部６ｈと切欠き６ｉに遠心カラ−２３が遠心方向に移動自在に嵌合されている。
遠心カラ−２３にはスプ−ル５の喇叭状の制御部５ｅの内側に形成された傾斜面５ｆに対応する円弧面２３ａと切欠き６ｉに嵌まる縦溝２３ｂが形成されている。
スプ−ル軸４の周溝４ｄにはワッシャ２４が嵌合されてＥリング２５で抜け止めされている。
ワッシャ２４と保持部材６の間にはコイルスプリンクからなるバネ部材１９が挿入されている。
【００１７】
右側枠１ｂ側の軸受１７が設けられた筒部１ｈの透孔と連通する透孔内に設けられた他の軸受２６でピニオン７の大径の軸筒７ａが、右側側板Ｃの軸受構造体３に固定された軸筒２７内に取り付けられた軸受２８でピニオン７の小径の軸筒７ｂが夫々回転自在にかつ軸方向に移動可能に軸承されている。
ピニオン７の中心孔７ｃに押圧軸杆２９が軸方向に移動可能に嵌合されている。
軸受１７から右側に突出したスプ−ル軸４の小径部４ｅにはクラッチ機構を構成するピンからなる係合突起３０が固定されると共に小径部４ｅはピニオン７の大径孔７ｄに挿入されて押圧軸杆２９の一側が当接されている。
ピニオン７の大径の軸筒７ａの一側端面にはクラッチ機構を構成する係合溝７ｅが軸芯に直交するように形成され、係合突起３０は係合溝７ｅに係脱自在に挿入されている。
【００１８】
右側側板Ｃの軸受構造体３に固定された軸筒２７の外側外周にはネジ部が形成されて押圧ツマミ３１が螺合され、押圧ツマミ３１内に小判形の回り止め凹部が形成されて押圧軸杆２９の他側の回り止め部が係合されると共に押圧軸杆２９の他側端は押圧ツマミ３１内のスラスト軸受３２に当接されている。
ピニオン７の大径の軸筒７ａの外周にピニオン歯７ｆと周溝７ｇが形成されている。
ピニオン歯７ｆにはハンドル軸８に摩擦結合された駆動歯車３３が噛合されている。
周溝７ｇにはクラッチ機構を構成する作動体３４が係合されている。
右側枠１ｂの外側には図示しない支柱が固定されて作動体３４と図示しない発条が嵌合され、作動体３４は発条でスプ−ル軸４の係合突起３０とピニオン７の係合溝７ｅが係合される方向に付勢されている。
ピニオン７の大径の軸筒７ａの外側の右側枠１ｂの孔縁にはクラッチ操作環３５が回動自在に嵌合されて作動体３４が当接され、クラッチ操作環３５に図示しないクラッチ操作レバ−が連結されている。
クラッチ操作環３５には作動体３４が操作されるカム３５ａが設けられている。
【００１９】
ハンドル軸８は右側枠１ｂに設けられた軸受３６と軸受構造体３に取り付けられた軸受３７で軸承され、軸受３７の右外側のハンドル軸８には回り止め部８ａとネジ部８ｂが形成されて回り止め部８ａにハンドル３８が回り止め嵌合されてネジ部８ｂにはドラグ調整ノブ３９が螺合されている。
軸受３６は右側枠１ｂの凹部に挿入されて抜け止め板４０で抜け止めされている。
ハンドル軸８には軸受３６に嵌合される大径部８ｃと小径部８ｄと鍔部８ｅと小判形の回り止め部８ｆが形成された太径部８ｇとが形成されている。
大径部８ｃの一端はスラスト軸受４１に当接されている。
回り止め部８ｆの外周には爪車４２と歯車４３と駆動歯車３３と押圧板４４と筒状ドラグ押圧部４５と発条板４６、４７と軸受３７が嵌合され、爪車４２と押圧板４４と筒状ドラグ押圧部４５はハンドル軸８に回り止め嵌合されている。
歯車４３は駆動歯車３３に係合されている。
【００２０】
駆動歯車３３と押圧板４４の間には摩擦制動部材が挾み込まれてドラグ機構Ｅが構成されている。
筒状ドラグ押圧部４５の外周には転がり式一方向クラッチＦの複数個の棒状転がり部材４８が載せられている。
転がり式一方向クラッチＦは軸受構造体３の外径が二段の筒部３ａの中に支持されている。
転がり式一方向クラッチＦによってスプ−ル５に図示しない釣糸が巻回される方向にハンドル３８が回転可能で、ハンドル３８は逆方向に回転不能に構成されている。
転がり式一方向クラッチＦは、外輪４９の内側に保持器５０が装着されて保持器５０の複数個の収容孔に楔作用する棒状転がり部材４８と図示しない発条が収容されている。
外輪４９の内周面４９ａには凹部で棒状転がり部材４８の図示しない自由回転域と棒状転がり部材４８が当接されて回転が阻止される図示しない阻止面が構成されている。
【００２１】
側板Ｃ側の右側枠１ｂは、外周が右側に延びて筒部１ｉが形成され、筒部１ｉの先端に中心に向かって鍔部１ｊが形成されて鍔部１ｊの位置の外周には段部で筒部１ｉより小径の小径部１ｋが形成されている。
鍔部１ｊの複数箇所にネジ孔１ｍが形成されている。
側板Ｃ側の軸受構造体３は円板部３ｂの右側面に前記軸筒２７が一体的に固定されると共に前記外径が二段の筒部３ａが形成され、左側面に筒部３ｃが形成されると共に筒部３ｃの外側に外側に向けて鍔部３ｄが形成されて鍔部３ｄの複数箇所に透孔３ｅが形成されている。
側板Ｃ側の外側カバ−１０′はリング状に形成されて右側枠１ｂの筒部１ｉより小径の小径部１ｋと軸受構造体３の鍔部３ｄの外周に嵌合される筒部１０ｃと、筒部３ｃの外周に嵌合される透孔１０ｄが形成されている。
【００２２】
側板Ｃが組み立てられる時は、右側枠１ｂの鍔部１ｊに軸受構造体３の鍔部３ｄが重ねられてビス５１で固定され、右側枠１ｂの小径部１ｋと軸受構造体３の鍔部３ｄの外周に外側カバ−１０′の筒部１０ｃと透孔１０ｄ内周面が嵌合されて接着固定される。
右側枠１ｂの小径部１ｋと軸受構造体３の鍔部３ｄの外周にネジ部を形成し、外側カバ−１０′の筒部１０ｃと透孔１０ｄ内にネジ部を形成して螺合してもよい。
【００２３】
魚釣用両軸受型リ−ルの動作は、スプ−ル軸４の係合突起３０とピニオン７の係合溝７ｅが係合されたクラッチ機構のクラッチＯＮ状態でスプ−ル５に釣糸が巻回される方向にハンドル３８が回転されると、ハンドル軸８と駆動歯車３３とピニオン７とスプ−ル軸４を介してスプ−ル５に釣糸が巻回される。
この時ハンドル軸８が正回転されると、転がり式一方向クラッチＦの棒状転がり部材４８が自由回転域に移動して楔作用しない非作動状態となり、ハンドル軸８は正回転が可能となる。
次にスプ−ル５が釣糸の繰り出しで逆回転されると、ハンドル軸８が逆回転されて転がり式一方向クラッチＦの棒状転がり部材４８が阻止面に移動して楔作用する作動状態となり、ハンドル軸８の逆回転が阻止されてロック状態になる。
ハンドル軸８にドラグ機構Ｅで摩擦結合された駆動歯車３３のドラグ制動力が強弱に調整される時は、ドラグ調整ノブ３９が回動されると、筒状ドラグ押圧部４５が前後に移動される。
【００２４】
スプ−ル軸４とスプ−ル５の回転に磁気制動が掛けられる時は、スプ−ル軸４の回転で前後に移動する保持部材６に固定された導電体２２を磁石１２と磁石１３の間に進入されて掛けられる。
スプ−ル軸４とスプ−ル５と保持部材６が回転されると、遠心力で遠心カラ−２３がスプ−ル５の一方のフランジ部５ｃの外側に設けられた喇叭状の制御部５ｅの内側に形成された傾斜面５ｆに摺接されて保持部材６がコイルスプリンクからなるバネ部材１９に抗してスプ−ル軸４上を左右方向に移動する。
保持部材６の移動量に応じて筒状の導電体２２が磁石１２と磁石１３の間に進入されて磁気制動装置Ｄが作動することになる。
【００２５】
前記のように魚釣用両軸受型リ−ルが構成されると、スプ−ル５の回転速度に応じて磁気制動装置Ｄの筒状の導電体２２を磁石１２と磁石１３の間に進入されて制御する傾斜面５ｆを有する制御部５ｅをスプ−ル５の一方のフランジ部５ｃの一側部に形成したことにより、釣糸巻回胴部５ｂの直径を細くする事が可能となり、充分な糸巻容量が確保出来る。
傾斜面５ｆを有する制御部５ｅをスプ−ル５側に形成するので、磁気制動装置Ｄの移動側に傾斜面を形成せずに糸巻量を確保でき、筒状の導電体２２の重量増、遠心カラ−の重量増、バネ部材の強化によるコスト高を全て回避できる。
太糸が充分巻回できるので別スプ−ルと交換する必要が無くなるので、釣糸の巻き直しなどの煩わしさを無くし、別スプ−ルとそこに巻回する釣糸の用意が不要となるので不要なコスト増を抑えることが出来る。
【実施例２】
【００２６】
図８、図９は第２実施例で、図８は魚釣用両軸受型リ−ルの要部断面平面図、図９はスプ−ル軸と磁気制御装置の可動側の拡大断面平面図である。
【００２７】
第２実施例では、別体の喇叭状の制御部９がスプ−ル５の一方のフランジ部５ｃの外側にビス５２で固定され、制御部９の内側に傾斜面９ａが形成されている。
他の構成は前記第１実施例と略同一である。
【００２８】
第２実施例のように傾斜面９ａを有する制御部９をスプ−ル５とは別体に形成してビス５２でスプ−ル５の一方のフランジ部５ｃの外側に固定すると、傾斜面９ａの角度や長さの異なる様々な傾斜面を有する制御部９を簡単に交換出来、目的に応じた調整を低コストで行うことが出来る。
【産業上の利用可能性】
【００２９】
本発明はバックラッシュ防止装置を備えた魚釣用両軸受型リールに適用が可能である。
【図面の簡単な説明】
【００３０】
【図１】第１実施例で、魚釣用両軸受型リ−ルの要部断面平面図である。
【図２】同魚釣用両軸受型リ−ルの反ハンドル側の要部拡大断面平面図である。
【図３】同魚釣用両軸受型リ−ルのハンドル側の要部拡大断面平面図である。
【図４】同スプ−ルと磁気制動装置の可動側の拡大断面平面図である。
【図５】同スプ−ルと磁気制動装置の可動側の拡大要部断面正面図である。
【図６】同磁気制動装置の可動側の分解斜視図である。
【図７】同スプ−ルと磁気制動装置の可動側の拡大要部断面分解斜視図である。
【図８】第２実施例で、魚釣用両軸受型リ−ルの要部断面平面図である。
【図９】同スプ−ルと磁気制動装置の可動側の拡大断面平面図である。
【符号の説明】
【００３１】
Ａ  リ−ル本体
５  スプ−ル
５ｂ  釣糸巻回胴部
５ｃ  一方のフランジ部
５ｅ、９  制御部
５ｆ、９ａ  傾斜面
１２、１３  磁石
１９  バネ部材
２２  導電体
２３  遠心カラ−
Ｄ  磁気制動装置
【図１】
2005058171.tif 000003
【図２】
2005058171.tif 000004
【図３】
2005058171.tif 000005
【図４】
2005058171.tif 000006
【図５】
2005058171.tif 000007
【図６】
2005058171.tif 000008
【図７】
2005058171.tif 000009
【図８】
2005058171.tif 000010
【図９】
2005058171.tif 000011
【手続補正書】
【提出日】平成15年8月21日(2003.8.21)
【手続補正１】
【補正対象書類名】図面
【補正対象項目名】全図
【補正方法】変更
【補正の内容】
【図１】
2005058171.tif 000012
【図２】
2005058171.tif 000013
【図３】
2005058171.tif 000014
【図４】
2005058171.tif 000015
【図５】
2005058171.tif 000016
【図６】
2005058171.tif 000017
【図７】
2005058171.tif 000018
【図８】
2005058171.tif 000019
【図９】
2005058171.tif 000020